【事件の表示】
　特願２００１−３６４８６３「オンラインアルバム画像のプリントシステム及びこのシステムに用いられるサーバーシステム及び写真処理システム」拒絶査定不服審判事件〔平成１５年　６月１３日出願公開、特開２００３−１６７６９２〕について、次のとおり審決する。
【結　論】
　本件審判の請求は、成り立たない。
【理　由】
１．手続の経緯・本願発明
　本願は、平成１３年１１月２９日の出願であって、平成１７年１０月２１日付けで拒絶査定がなされ、同年１１月２４日に拒絶査定不服の審判が請求され、当審において平成２０年１０月７日付けで拒絶理由を通知し、平成２０年１２月４日付けで手続補正書が提出された。
　本願の請求項１に係る発明は平成２０年１２月４日付け手続補正書により補正された明細書及び図面の記載からみて、特許請求の範囲の請求項１に記載された事項により特定される次のとおりのもの（以下「本願発明」という。）である。
「クライアントにネットワークを介してオンラインアルバムを提供するサーバーシステムと、
前記オンラインアルバムに貼り付けられた画像データをダウンロードして写真プリントを作成可能な写真処理システムとを備え、
　前記オンラインアルバムには、画像データ及びオンラインアルバム上で個々の画像と共に表示される付帯データをクライアント側から提供可能に構成し、当該クライアント側から提供された画像に対するコメントを書き込み可能な掲示板を提供するように構成し、前記掲示板に書き込まれたコメントを前記付帯データとして処理し、
　前記写真処理システムにより画像データをダウンロードするにあたり、前記付帯データも併せてダウンロードし、画像と付帯情報とが共に形成された写真プリントを作成可能に構成したことを特徴とするオンラインアルバム画像のプリントシステム。」
　
２．引用刊行物
　これに対して当審の拒絶の理由に引用された、本願の出願日前に頒布された刊行物「網屋　徹、「インターネット１２０％活用講座」（今回のテーマ「インターネットでフォトアルバムを作ろう」）、Ｍａｃ Ｐｅｏｐｌｅ Ｂｅｇｉｎｎｅｒｓ Ｖｏｌ．５、株式会社アスキー、2001年4月1日発行、136〜139頁」（以下、引用刊行物１という。）には、図面とともに以下の記載がある。
（ア）「「ネットアルバム」とは、プロバイダーやサービス業者のサーバーのハードディスクを借りて、インターネット上でフォトアルバムを作れるサービスのことだ。会員になれば、画像専用のホームページを持つことができ、アルバムのように整理したり、友人に公開したりできる。ウェブブラウザーを使って気軽に閲覧／管理ができるので、デジカメで撮った写真などをもっと活用したい人にお勧めだ。」（第１３６頁最上段１−１４行）
　
（イ）「ネットアルバムを作ってみよう！
　ここでは、前ページで紹介したサービスのひとつ、フォトハイウェイジャパンのサイトで、実際にネットアルバムを作ってみよう。あれこれ考えるより、まずは実戦だ。」（第１３８頁最上段の見出し）
　
（ウ）「アルバムに収録する画像を指定する。「参照」ボタンをクリックして自分のマックのハードディスク上にある画像を指定し、「作成する」ボタンを押すと、画像のアップロードが始まる。」（第１３８頁下段の囲み内、左上画面の下の説明文）
「アップロードが終了したら、アルバムの作成は無事終了する」（第１３８頁下段の囲み内、左下画面の左側の説明文）
　
（エ）「「マイアルバム」で各画像をクリックすると、画像のタイトルやコメント、プリントオーダーなど、画像についての情報を変更できる。」（第１３９頁上段囲み内の左の画面の下の説明文）
　
（オ）「写真をプリントする
　フォトハイウェイ・ジャパンでは、公開されている画像を閲覧者もプリントできるサービスが用意されている。」（第１３９頁中段左）
「アルバムのページで、画面右上にある「プリントオーダー」のボタンをクリックすると、画像プリントサービスのウィンドウが開く。プリントしたい画像を選択して、サイズや枚数、送り先などを指定すればＯＫ」（第１３９頁左中段囲み内の画面の右側の説明文）
　
（カ）「アルバム内には見に来てくれた人がコメントを残すことができるゲストブックがあり、コミュニケーション作りに役立つ」（第１３９頁左下段囲み内、画面の説明文））
　
（キ）「届いたメールに表示されたＵＲＬをクリックすると、ネットアルバムのホームページにジャンプできる。」（第１３９頁右「アルバムを公開する」囲み内２枚目画面の左側の説明文）
　「アルバムの扉ページが開く。画像の下にある「アルバムを開く」をクリックすると、アルバムの中が見られる。」（同、囲み内３枚目画面の右側の説明文）
　
（ク）「登録した画像とコメントが見られる。」（同、囲み内４枚目画面の左側の説明文）
　
（ケ）第１３９頁右「アルバムを公開する」囲み内４枚目画面には、ネットアルバム上で個々の画像と共にコメントが表示された状態が記載されている。
　
　そして、引用刊行物１に明示の記載はないが、画像のプリントサービスを実施するために引用刊行物１には画像をプリントするシステムが備えられ、当該システムにおいてサーバーのハードディスクからプリントする画像のダウンロードがなされることは明らかである。
　また、上記記載事項（エ）、（ク）、（ケ）によれば、ネットアルバム上で個々の画像と共に表示されるタイトルやコメントはインターネットを介してマック（ユーザ）から入力されたものである。
　
　これら引用刊行物１の記載から、引用刊行物１には、次の発明が記載されているものと認められる（以下「引用発明１」という。）。
　「マック（ユーザ）にインターネットを介してネットアルバムを提供するサービス業者のサーバーと、
　前記ネットアルバムにマックからアップロードされた画像をダウンロードしてプリントするシステムとを備え、
　前記ネットアルバムには、画像及びネットアルバム上で個々の画像と共に表示される画像のタイトルやコメントをマック側から提供可能に構成し、
　ネットアルバム内には見に来た人がコメントを残すことができるゲストブックを備え、
　画像が形成された写真プリントを作成可能に構成した、ネットアルバム。」
　
　同じく当審の拒絶の理由に引用された、本願の出願日前に頒布された刊行物「特開２００１−２６５５４７号公報」（以下、引用刊行物２という。）には、図面とともに、以下の記載がある。
（コ）「【請求項１】所望とする文字および／または簡易画像の入力を受けて、該文字および／または該簡易画像を表す文字画像情報を生成する文字画像情報生成手段を有するクライアントと、
画像データをプリント出力する際に、前記クライアントから提供される前記文字画像情報に基づいて、前記文字および／または前記簡易画像をプリントの所定位置に印字する情報印字手段を有するラボサーバとを備えたことを特徴とするプリントシステム。」（第２頁左欄）
　
（サ）「【０００２】
【従来の技術】ユーザが撮影した写真画像をデジタル化して画像サーバに蓄積したり、ＣＤ−Ｒに記録してユーザに提供したり、写真の焼き増し注文に応じる等、写真に関する種々のデジタルフォトサービスを行うデジタルフォトサービスシステムが知られている。このようなシステムにおいて、ユーザはＣＤ−Ｒに記録された画像から画像を再現するための専用ビューワーソフトをパソコンにインストールして画像を再生し、焼き増し注文を行う場合には、ビューワーソフトに組み込まれた注文機能を用いて注文内容を記述した注文情報を作成する。そして、ユーザはこの注文情報とＣＤ−Ｒとを写真店に持参し、写真店においては注文情報とＣＤ−Ｒとをラボに受け渡して、注文された写真画像を作成することとなる。
【０００３】また、このデジタルフォトサービスシステムの一形態として、ユーザのデジタル画像をサービス提供者のシステムに保管（登録）しておき、インターネット等のネットワークを介してプリント注文等を受け付けるネットワークフォトサービスシステムも提案されている。」（第３頁左欄）
　
（シ）「【０００７】
【発明が解決しようとする課題】しかしながら、上述した特開平１０−１９１０２１号に記載された方法においては、撮影時に画像データに付与された撮影情報のみを印字するものであり、ユーザが所望とする文字を印字することができなかった。
【０００８】本発明は上記事情に鑑みなされたものであり、ユーザが所望とする文字さらには所望とする画像を印字できるプリントシステムを提供することを目的とするものである。」（第３頁右欄）
　
（ス）「【０００９】
【課題を解決するための手段】本発明によるプリントシステムは、所望とする文字および／または簡易画像の入力を受けて、該文字を表す文字画像情報を生成する文字画像情報生成手段を有するクライアントと、画像データをプリント出力する際に、前記クライアントから提供される前記文字画像情報に基づいて、前記文字および／または前記簡易画像をプリントの所定位置に印字する情報印字手段を有するラボサーバとを備えたことを特徴とするものである。
【００１０】ここで、「所望する文字」とは、ユーザが画像データのプリント出力をラボサーバに依頼する際に、プリントに印字したい文字のことであり、単一の文字であっても文字列であってもよい。具体的には画像データにより表される画像に対するコメントや、画像の印象、メッセージ、プリントを渡す人の名前等が挙げられる。」（第３頁右欄）
　
（セ）「【００３９】ユーザ１はクライアントとしてのパソコン１０を有しており、ネットワーク３を介してラボ２とのデータのやりとりを行うことが可能である。また、ユーザ１はこのパソコン１０を利用して注文情報Ｃを作成し、この注文情報Ｃをラボ２に転送する。なお、注文情報Ｃには後述するようにプリントに印字したい文字を表す文字情報が含まれる。
【００４０】ラボ２は、プリント出力を実施するシステムであり、ユーザ１が持ち込んだフイルムから画像を読み取って高解像度の画像データＳを得る読取手段４と、読み取った画像データＳを蓄積するデータベース５と、画像データＳの低解像度画像データＳＬを生成する縮小手段６と、ユーザ１からの注文情報Ｃの受け付けおよびユーザ１への低解像度画像データＳＬの転送を行う入出力手段７と、注文情報Ｃに基づいてプリントを行うとともに、注文情報Ｃに含まれる文字情報に基づいてプリントに文字を印字する出力手段８とを備える。なお、ユーザ１はラボ２に直接プリントを依頼するようにしてもよく、注文受付を専門に行う写真店を介してプリントを依頼してもよい。」（第５頁右欄）
　
（ソ）「【００４６】ラボ２においては、注文情報Ｃを入出力手段７において受け付けて（ステップＳ１５）、注文情報Ｃに記述された注文内容に基づいて、データベース５から高解像度の画像データＳを読み出す。そして、出力手段８においてプリント画像の出力を行うとともに（ステップＳ１６）、文字情報に基づいて文字をプリントの裏面に印字し（ステップＳ１７）、処理を終了する。
【００４７】図６は本実施形態のプリントシステムにおいて得られたプリントの例を示す図である。図６（ａ）に示すようにプリントの裏面には例えば「おはよう」の文字が印字される。また、図６（ｂ）に示すように白縁を付与したプリントの場合には、白縁部分に「こんにちは」の文字を印字することもできる。」（第６頁右欄）
　
（タ）「【００５３】また、上記実施形態においては、高解像度の画像データＳをラボ２において保管している場合について説明したが、ユーザ１が高解像度の画像データＳを保管している場合には、注文情報Ｃとともにプリントする画像データＳがラボ２に転送されることとなる。この際、文字情報は画像データＳのタグ情報として画像データＳに付与してもよく、テキストデータとして注文情報Ｃとは別個にラボ２に転送してもよい。」（第７頁左欄）
　
（チ）「【００５５】また、上記実施形態においては、プリントの裏面あるいは白縁に文字を印字しているが、プリント部分に印字してもよい。」（第７頁左欄）
　
　上記記載事項（ス）（ソ）によれば、ラボサーバの出力手段はプリント画像と共に当該画像データに対するコメントを印字しており、ラボサーバの出力手段は、画像データおよび画像に対するコメントを受信してプリント画像と共に当該画像データに対するコメントを印字しているということができる。
　
　これら引用刊行物２の記載によれば、引用刊行物２には、次の発明（以下「引用発明２」という。）が記載されているものと認められる。
「クライアントとネットワークを介して接続されたラボサーバを有する写真プリントシステムであって、ラボサーバの出力手段は画像データＳおよび画像に対するコメントを受信し、プリント画像と共に当該画像データに対するコメントを印字する写真プリントシステム。」
　
３．対比
　本願発明と引用発明１とを比較すると、
　引用発明１の「マック」は、本願発明の「クライアント」に相当し、以下同様に、「インターネット」が「ネットワーク」に、「ネットアルバム」が「オンラインアルバム」に、「サービス業者のサーバー」が「サーバーシステム」に、「画像」が「画像データ」に、「画像」を「プリント」したものが「写真プリント」に、「画像」を「プリント」するシステムが「写真処理システム」に、「画像のタイトルやコメント」が「付帯データ」に、それぞれ相当する。
　また、引用発明１において、画像のアップロードによりオンラインアルバム（ネットアルバム）が作成されており、引用発明１のオンラインアルバムの画像は、本願発明と同様にオンラインアルバムに貼り付けられた画像ということができる。
　また、引用発明１のアルバム内に設けられた「ゲストブック」は、オンラインアルバムを見に来たゲストがコメントを残すことができるから、本願発明の「掲示板」に相当する。
　また、引用発明１は、オンラインアルバムを提供するサーバシステム及び写真処理システムによりオンラインアルバムに貼り付けられた画像データから写真プリントを作成可能に構成しているから、引用発明１には、「オンラインアルバム画像のプリントシステム」が記載されているということができる。
　
　したがって、両者は
「クライアントにネットワークを介してオンラインアルバムを提供するサーバーシステムと、
前記オンラインアルバムに貼り付けられた画像データをダウンロードして写真プリントを作成可能な写真処理システムとを備え、
　前記オンラインアルバムには、画像データ及びオンラインアルバム上で個々の画像と共に表示される付帯データをクライアント側から提供可能に構成し、コメントを書き込み可能な掲示板を提供するように構成し、
　前記写真処理システムにより画像データをダウンロードし、画像が形成された写真プリントを作成可能に構成したことを特徴とするオンラインアルバム画像のプリントシステム。」の点で一致し、以下の点で相違する。
　
相違点１
　本願発明は、クライアント側から提供された画像に対するコメントを書き込み可能な掲示板を提供するように構成し、掲示板に書き込まれたコメントを前記付帯データとして処理しているのに対し、引用発明１はオンラインアルバム内に見に来た人がコメントを書き込み可能な掲示板、即ち、クライアントが作成したオンラインアルバムに対してコメントを書き込み可能な掲示板を設けることが記載されているが、当該掲示板が、クライアント側から提供された画像に対するコメントが書き込み可能なことは明らかではなく、また、掲示板に書き込まれたコメントを前記付帯データとして処理することは記載されていない点。
　
相違点２
　本願発明は、写真処理システムにより画像データをダウンロードするにあたり、前記付帯データも併せてダウンロードし、画像と付帯情報とが共に形成された写真プリントを作成可能に構成しているのに対し、引用発明１は、写真処理システムにより画像データをダウンロードし、画像が形成された写真プリントを作成可能に構成しているが、画像データをダウンロードするにあたり、前記付帯データも併せてダウンロードし、画像と付帯情報とが共に形成された写真プリントを作成可能に構成することについて記載がない点。
　
４．当審の判断
　以下、上記相違点について検討する。
相違点１について
　一般に掲示板をどのように構成するかは設計的事項であるところ、引用発明１にはオンラインアルバム内に、クライアントが作成したオンラインアルバムに対してコメントを書き込み可能な掲示板（ゲストブック）を設けることが記載されており、特開平１１−２０３３５９号公報（第７〜８頁、段落【００６８】、図８にはネットアルバム（本願発明の「オンラインアルバム」に相当する。）の画像に対しフリーコメント欄（本願発明の「掲示板」に相当する。）を設け、オンラインアルバムの閲覧者がコメントを入力することにより、オンラインアルバム上に画像と共にコメントを表示することが記載されている。）に記載されているように、オンラインアルバムにおいて画像に対するコメントを書き込み可能な掲示板を設け、画像と共にコメントを表示することは周知である。
　そして、当該コメントは、引用発明１の付帯データ（画像のタイトルやコメント）と画像に対するコメントである点で共通している。
　そうすると、引用発明１のコメントを書き込み可能な掲示板をクライアント側から提供された画像に対するコメントを書き込み可能な掲示板として当該コメントを画像と共に表示されるようにして、当該コメントも付帯データとして処理して本願発明のように構成することは当業者が周知技術に基づいて容易になし得ることである。
　
相違点２について
　引用発明２には、出力手段（本願発明の「写真処理システム」に対応する。）により画像データおよび画像に対するコメントを受信し、プリント画像と共に当該画像データに対するコメントを印字することが記載されている。
　また、特開平１０−１９１０２１号公報（第２頁【請求項１】、第３頁右欄段落【００１９】〜第４頁左欄段落【００２３】、段落【００２５】、図１、には撮影者が設定した写真のタイトルを含む撮影情報を画像ととともに写真店の写真プリンタでプリントすることが記載されている。）、特開平１１−２８８０４４号公報（第２頁左欄【請求項１】〜【請求項２】、第２頁右欄段落【０００２】〜【０００４】、図２、図９、図１０には、自由に文字等を入力して作成されるタイトルと画像を合成してプリントする写真プリント装置が記載されている。）、に記載されているように写真プリントを行う場合に画像に付されたタイトル、コメント等を画像と共にプリントすることは周知である。
　そうすると、引用発明１も引用発明２もネットワークを介してユーザと接続されたサーバによりプリントを行う点で共通しており、引用発明１に引用発明２を適用するについて阻害要因もないことから、引用発明１において引用発明２を適用して、写真処理システムにより画像データをダウンロードするにあたり、前記付帯データも併せてダウンロードし、画像と付帯情報とが共に形成された写真プリントを作成可能に構成することは当業者が容易に想到し得ることである。
　
　したがって、本願発明は引用発明１、引用発明２及び周知技術に基づいて、当業者が容易に発明をすることができたものである。 
　
　そして、本願発明のように構成したことによる効果も引用発明１、引用発明２及び周知技術から予想できる程度のものであって、格別のものではない。
　
５．むすび
　以上のとおり、本願発明（請求項１に係る発明）は、引用発明１、引用発明２及び周知技術に基づいて当業者が容易に発明をすることができたものであるので、特許法第２９条第２項の規定により特許を受けることができない。
　したがって、本願は、その余の請求項について論及するまでもなく、拒絶すべきものである。
　
　よって、結論のとおり審決する。